(57)【要約】【課題】剛性支持構造体を短時間で直立させることができる高置フロアアセンブリのための改良された支持構造体を提供すること【解決手段】複数のペデスタル（１０）と、隣接するこれらペデスタル（１０）の間に結合されたパネルストリンガー（１４）とを備え、各ペデスタル（１０）は、コラム（１６）の上端部に設けられた支持ヘッド（１７）および前記コラム（１６）の下端部に設けられたプレート（１８）を備えたコラム（１６）有し、前記支持ヘッド（１７）は、前記パネルストリンガ（１４）をアームに接続するための、放射状に突出する支持アーム（２６）を有し、各パネルストリンガー（１４）は、２つのほぼ平行する側面部分（３４、３４’）および相互接続部分（３６）を有するほぼ倒立したＵ字形横断面を有し、前記相互接続部分（３６）は、前記ペデスタル（１０）の支持ヘッド（１７）の前記放射状に突出する支持アーム（２６）に載っている、高置フロアアセンブリのための支持構造体である。本発明の重要な特徴によれば、前記パネルストリンガー（１４）の端部部分において、前記側面部分（３４、３４’）のうちの少なくとも１つはその内側表面（４０、４０’）上に前記相互接続部分（３６）の近くのキャビティ（４２、４２’）および前記相互接続部分（３６）から遠い前記側面部分（３４、３４’）のエッジから、前記キャビティ（４２、４２’）に延びるガイド（４４、４４’）を備え、前記支持アーム（２６）は前記パネルストリンガー（１４）が前記ペデスタル（１０）の前記支持アーム（２６）に接続されたときに、前記キャビティ（４２、４２’）内に収納されるようになっている少なくとも１つの側方突起（３０、３０’）を備える。【選択図】図３
2008520865.tif 000002
【特許請求の範囲】
【請求項１】
複数のペデスタル（１０）と、隣接するこれらペデスタル（１０）の間に結合されたパネルストリンガー（１４）とを備え、
各ペデスタル（１０）は、コラム（１６）の上端部に設けられた支持ヘッド（１７）および前記コラム（１６）の下端部に設けられたプレート（１８）を備えたコラム（１６）有し、前記支持ヘッド（１７）は、前記パネルストリンガ（１４）をアームに接続するための、放射状に突出する支持アーム（２６）を有し、
各パネルストリンガー（１４）は、２つのほぼ平行する側面部分（３４、３４’）および相互接続部分（３６）を有するほぼ倒立したＵ字形横断面を有し、前記相互接続部分（３６）は、前記ペデスタル（１０）の支持ヘッド（１７）の前記放射状に突出する支持アーム（２６）に載っている、高置フロアアセンブリのための支持構造体において、
前記パネルストリンガー（１４）の端部部分において前記側面部分（３４、３４’）のうちの少なくとも１つはその内側表面（４０、４０’）上に前記相互接続部分（３６）の近くのキャビティ（４２、４２’）および前記相互接続部分（３６）から遠い前記側面部分（３４、３４’）のエッジから、前記キャビティ（４２、４２’）に延びるガイド（４４、４４’）を備え、前記支持アーム（２６）は前記パネルストリンガー（１４）が前記ペデスタル（１０）の前記支持アーム（２６）に接続されたときに、前記キャビティ（４２、４２’）内に収納されるようになっている少なくとも１つの側方突起（３０、３０’）を備えることを特徴とする、高置フロアアセンブリのための支持構造体。
【請求項２】
前記キャビティ（４２、４２’）は、前記支持体に適合できるような十分な遊びをもって前記突起（３０、３０’）を内部に確実に収納するような寸法となっている、請求項１記載の支持構造体。
【請求項３】
前記キャビティ（４２、４２’）と前記突起（３０、３０’）とは、両者の間に若干の遊びをもって配置されている、請求項１または２記載の支持構造体。
【請求項４】
前記ガイド（４４、４４’）は、前記キャビティ（４２、４２’）の方向に狭くなっている横断面を有する、請求項１〜３のうちのいずれかに記載の支持構造体。
【請求項５】
前記キャビティ（４２、４２’）の近くにある前記キャビティ（４４、４４’）の横断面は、前記突起（３０、３０’）の横断面よりも若干小さくなっている、請求項４記載の支持構造体。
【請求項６】
前記突起（３０、３０’）は丸くなっている、請求項１〜５のうちのいずれかに記載の支持構造体。
【請求項７】
前記ペデスタル（１０）の前記支持ヘッド（１７）は、互いに直角に配置された４本の支持アーム（２６、２６’、２６”、２６'''）を有する、請求項１〜６のうちのいずれかに記載の支持構造体。
【請求項８】
前記ペデスタル（１０）の前記支持ヘッド（１７）は、互いに直角に配置された４本のメイン支持アーム（２６、２６’、２６”、２６'''）と、互いに直角であって前記メイン支持アーム（２６、２６’、２６”、２６'''）に対して４５度に配置された４本の補助支持アーム（２８、２８’、２８”、２８'''）とを有する、請求項１〜６のうちのいずれかに記載の支持構造体。
【請求項９】
前記補助支持アーム（２８、２８’、２８”、２８'''）は、前記メイン支持アーム（２６、２６’、２６”、２６'''）よりも長い、請求項８記載の支持構造体。
【請求項１０】
前記ペデスタル（１０）の前記支持アーム（２６、２８）および前記パネルストリンガー（１４）の前記相互接続部分（３６）は、孔（３２、４６）を備え、前記孔（３２、４６）は、前記パネルストリンガー（１４）を前記ペデスタル（１０）に結合したときに整合するようになっている、請求項１〜９のいずれかに記載の支持構造体。
【発明の詳細な説明】
【技術分野】
【０００１】
本発明は、高置フロアアセンブリのための支持構造体に関する。
【背景技術】
【０００２】
かかる支持構造体は、一般に多数のペデスタルを備え、各ペデスタルはコラムと、高置フロアアセンブリのフロアパネルを支持できるように、コラムの上端部に固定された支持ヘッドと、ベースフロアに載ったペデスタルのための支持プラットフォームを提供するよう、固定された下端部に固定されたベースプレートとを備える。コラムの長さは、ペデスタルの高さを調節できるよう、一般に調節自在となっている。大重量のフロア荷重を支持できるようにするために、ペデスタルのすべての支持部品は、一般に金属、最も多くはスチールから製造されている。剛性および強度を増すために、かかる支持構造体は一般に更にパネルストリンガーを備え、これらパネルストリンガーは隣接するペデスタル間に結合され、上から見ると全体が正方形のグリッドを形成する。これらパネルストリンガーには通常、フロアパネルが載り、フロアパネルは高置フロアを形成するようになっている。
【０００３】
高置フロアアセンブリのためのかかる支持構造体は、例えば米国特許第4,277,923号に開示されており、ここで、この構造体は、複数のペデスタルと、隣接するペデスタル間に結合されたパネルストリンガーとを備える。各ペデスタルは、両端部に支持ヘッドが設けられたコラムと、このコラムの下端部に設けられたベースプレートとを有する。支持ヘッドは、パネルストリンガーを接続するための、放射状に突出する支持アームを備え、各パネルストリンガーは、全体が倒立したＵ字形の横断面を有し、この横断面は全体がほぼ平行な２つの側面部分と、相互に接続する部分とを有し、相互に接続する部分は放射状に突出する支持アームに載っている。支持ヘッドに対指定パネルストリンガーが移動するのを防止するために、パネルストリンガーおよび支持ヘッドにはセルフタップネジがねじこまれている。これによってかなり扱いにくく、時間のかかる作業が必要となっている。更に、この支持構造体の剛性は適当ではない。
【発明の開示】
【発明が解決しようとする課題】
【０００４】
よって、本発明の目的は、剛性支持構造体を短時間で直立させることができる高置フロアアセンブリのための改良された支持構造体を提供することにある。
【課題を解決するための手段】
【０００５】
上記課題を解決するために、本発明は、複数のペデスタルと、隣接するこれらペデスタルの間に結合されたパネルストリンガーとを備え、各ペデスタルは、コラムの上端部に設けられた支持ヘッドおよび前記コラムの下端部に設けられたプレートを備えたコラム有し、前記支持ヘッドは、前記パネルストリンガをアームに接続するための、放射状に突出する支持アームを有し、各パネルストリンガーは、２つのほぼ平行する側面部分および相互接続部分を有するほぼ倒立したＵ字形横断面を有し、前記相互接続部分は、前記ペデスタルの支持ヘッドの前記放射状に突出する支持アームに載っている、高置フロアアセンブリのための支持構造体にを提案するものである。本発明の重要な特徴によれば、前記パネルストリンガーの端部部分において前記側面部分のうちの少なくとも１つはその内側表面上に前記相互接続部分の近くのキャビティおよび前記相互接続部分から遠い前記側面部分のエッジから、前記キャビティに延びるガイドを備え、前記支持アームは前記パネルストリンガーが前記ペデスタルの前記支持アームに接続されたときに、前記キャビティ内に収納されるようになっている少なくとも１つの側方突起を備える。パネルストリンガーをペデスタルに結合させるために、パネルストリンガーの側面部分のガイドをペデスタルの支持アームの突起に整合させる。次に、パネルストリンガーをペデスタルの支持アーム上に下方に押す。よって、ガイドにより突起はガイドを通ってキャビティに導かれる。突起とキャビティにより、ペデスタルに対するパネルストリンガーの正確かつ正しい位置が保証され、高置フロアアセンブリのための改善された支持構造体が得られる。キャビティ内に一旦突起を挿入すると、パネルストリンガーは支持アーム上でスライドすることが防止されるので、パネルストリンガーおよび支持アームを通過するように、ネジを回さなくてもよくなる。従って、支持構造体をより容易かつより迅速に直立させることができ、このことはロードコストに対する積極的な効果がある。双方の側面部分はキャビティとガイドを備え、支持アームは２つのキャビティと協働する２つの突起を備えることが好ましい。
【０００６】
キャビティは、突起を内部に確実に収納するような寸法となっていることが好ましい。それによって達成される安全な収納は、パネルストリンガがペデスタルの支持アームから不意に外れることがないように保証されている。
【０００７】
キャビティと突起とは、ベースフロアのわずかな動きに対して支持構造体を適合できるよう両者の間に若干の遊びをもって配置されていることが好ましい。
【０００８】
これらガイドは、キャビティの方向に横断面が狭くなっていることが好ましい。これによって突起と溝とを容易かつ迅速に整合することができ、更に突起を溝に通して自動的にキャビティに導くことができる。
【０００９】
前記キャビティの近くにある前記キャビティの横断面は、前記突起の横断面よりも若干小さくなっていることが好ましい。従って、キャビティに達するには、突起をガイドのより狭い部分に強制的に挿入しなければならない。このことは、キャビティ内に突起が一旦収納されると、確実な接続が得られることを意味する。ガイドの、より狭い部分を通して突起を押すように、十分な力を加えなければ、これら突起はキャビティから容易に外れない。こうして、支持アームからパネルストリングが不意に外れることが防止され、改善された支持構造体が得られる。
【００１０】
前記突起は、支持アームにパネルストリングをより容易かつ迅速に接続できるよう、例えば丸くすることができる。
【００１１】
一実施例によれば、ペデスタルの支持ヘッドは、互いに直角に配置された４本の支持アームを有する。これら支持アームはこのアームに結合されたパネルストリンガーを有し、高置フロアアセンブリのフロアパネルが載ることができる四角形のグリッドを形成することができる。
【００１２】
好ましい実施例によれば、前記ペデスタルの前記支持ヘッドは、互いに直角に配置された４本のメイン支持アームと互いに直角であって前記メイン支持アームに対して４５度に配置された４本の補助支持アームを有する。メイン支持アームはこのアームに結合されたパネルストリンガーを有し、高置フロアアセンブリのフロアパネルが載ることのできる正方形のグリッドを形成できる。これらの補助支持アームにより、グリッドの正方形を斜めに通過する別のパネルストリンガーを配置し、フロアパネルに対する別の支持体を設けることができる。高置フロアのエッジでは、より狭いフロアパネルに合わせるために現場でストリンガー部材を短くすることが多い。側面の突起を有しない補助支持アームを設計することにより、ストリンガー部材のカットされた端部、例えば対応するキャビティのないストリンガー部材の端部を補助支持アームに接続できる。このことには、高置フロアのエッジで使用するための別のペデスタルを設けなくてもよい利点がある。むしろ、同じペデスタルを約４５度回転させることができ、より短くされたストリンガー部材およびフロアパネルを支持するために使用できる。
【００１３】
補助支持アームは、メイン支持アームよりも長くなっていることが好ましい。このことによって、メイン支持アームに結合されたパネルストリンガーをペデスタルの中心のできるだけ近くに結合できるようになる。支持ヘッドの中心に対して結合をより近くすればするほど、支持構造体はより安定となる。上から見た場合、支持ヘッドは全体が正方形となっていることが好ましい。
【００１４】
更に、ペデスタルの支持アームおよびパネルストリンガーの相互接続部分は、孔を備えることができ、前記孔は、前記パネルストリンガーを前記ペデスタルに結合したときに整合するようになっている。所望すれば、パネルストリンガーとペデスタルとの間の結合を、別の固定手段、例えばボアを通過するネジ、クギまたはリベットにより補足することができる。
【００１５】
添付図面を参照し、発明を限定しない実施例の次の説明から、本発明がより明らかとなろう。
【発明を実施するための最良の形態】
【００１６】
図１は、パネルストリンガー１４と共に支持構造体を形成するよう、ベースフロア１２に載ったペデスタル１０を示す。図にはパネルストリンガーのうちの１つしか示されていない。ペデスタル１０は、全体が参照番号１６で示されたコラムと、このコラム１６の上端部に固定された支持ヘッド１７と、コラム１６の下端部に固定されたベースプレート１８とを備える。コラム１６はねじ切りされたロッド２０と、このねじ切りされたロッド２０に螺合されたベアリングナット２２と中空支持チューブ２４とから成る。支持チューブ２４の下端部はねじ切りされたロッド２０の上端部に載っており、ベアリングナット２２によってその上に支持されている。従って、ねじ切りされたロッド２０上でベアリングナット２２のネジを回すことにより、支持チューブ２４を上下し、ペデスタル１０の高さを自由に調節することができる。支持チューブ２４の上端部は支持ヘッド１７に接続されている。支持ヘッド１７は通常、４本または８本の支持アームを含み、このアームにパネルストリンガー１４が結合されている。図１では、２本の支持アーム２６、２６’しか示されていない。図１では、パネルストリンガー１４に載っているフロアパネルは示されていない。
【００１７】
図２にはペデスタル１０の支持ヘッド１７の平面図が略図で示されている。図示されている支持ヘッド１７は、互いに直角に配置された４本のメイン支持アーム２６、２６’、２６”、２６'''と、互いに直角に配置され、メイン支持アーム２６、２６’、２６”、２６'''に対して４５度に配置された４本の補助支持アーム２８、２８’、２８”、２８'''を備える。メイン支持アーム２６にパネルストリンガー１４を結合することにより、正方形のグリッドが形成され、このグリッドに高置フロアアセンブリのフロアパネルを載せることができるようになっている。補助支持アーム２８には、更に別のパネルストリンガーを結合することができ、これらストリンガーはグリッドの正方形を通るように斜めに配置できる。これによってフロアパネルのための別の支持体を設けることが可能となっている。次にメイン支持アーム２６、２６’、２６”、２６'''のうちの１つ２６だけをより詳細に説明する。
【００１８】
支持アーム２６は、支持ヘッド１７の中心から径方向外側に延び、このアームは側方に全体が丸くなった２つの突起３０、３０’を備える。これら突起３０、３０’の形状およびサイズは、後述するように、パネルストリンガー内に配置された２つのキャビティと協働するようになっている。支持アーム２６は、後述するようにパネルストリンガー内に配置された孔３２と協働するようになっている。
【００１９】
図２から分かるように支持ヘッド１７は、上から見ると全体が正方形となっていることが好ましい。メイン支持アーム２６、２６’、２６”、２６'''よりも補助支持アーム２８、２８’、２８”、２８'''のほうが長くなっている。これによって、メイン支持アームに結合されたパネルストリンガーをできるだけペデスタルの軸線の近くに結合し、より安定な支持構造体とすることができるようになっている。図２からは、補助支持アーム２８、２８’、２８”、２８'''には突起が設けられていないことも理解できよう。しかしながら、８本のすべての支持アームに突起を設けることを排除するものではない。
【００２０】
図３にはパネルストリンガー１４の端部部分の簡略化された斜視図が示されている。パネルストリンガー１４は全体が倒立したＵ字形横断面を有し、ほぼ平行な２つの側面部分３４、３４’と、相互接続部分３６とを備える。相互接続部分３６から離間した側面部分のコーナー３８、３８’は、ペデスタル１０の支持ヘッド１７へのパネルストリンガー１４の結合を促進するために面取りすることが好ましい。
【００２１】
パネルストリンガー１４の側面部分３４、３４’は更にそれぞれの側面部分３４、３４’の内側表面４０、４０’に凹部を備える。これら凹部は側面部分３４、３４’の面取りされたコーナー３８、３８’からキャビティ４２、４２’へ延びるキャビティ４２、４２’およびガイド４４、４４’を形成するようになっている。
【００２２】
キャビティ４２、４２’は、支持アーム２６の突起３０、３０’を受けるような寸法となっている。好ましくはキャビティ４２、４２’は、パネルストリンガーとペデスタルとの確実な嵌合が得られるように内部に突起３０、３０’を確実に受けるような寸法となっている。これにより、パネルストリンガーがペデスタルの支持アームから不意に外れることがないように保証されている。キャビティ４２、４２’と突起３０、３０’は、ベースフロアのわずかな移動に対して支持構造体を適合できるよう、これらの間に若干の遊びをもって配置されている。ガイド４４、４４’は、キャビティ４２、４２’の方向に横断面が狭くなっている。突起３０、３０’の横断面よりも面取りされたコーナー３８、３８’におけるガイド４４、４４’の横断面のほうが大きいので、ガイド４４、４４’に突起３０、３０’を容易に係合できるようになっている。ガイド４４、４４’に突起３０、３０’を一旦係合すると、パネルストリンガー１４はペデスタル１０の支持アーム２６上に下方に押される。こうして突起３０、３０’はキャビティ４２、４２’に向かってガイドされる。
【００２３】
キャビティ４２、４２’の近くのガイド４４、４４’の横断面のほうが、突起３０、３０’の横断面よりも若干小さくなっている。このことは、キャビティ４２、４２’に達するよう、突起３０、３０’をガイド４４、４４’に押し込まなくてもよいことを意味する。しかしながら、このことは突起３０、３０’がキャビティ４２、４２’に一旦達すると、これらキャビティから容易に外れなくなることも意味している。このようにして、ペデスタル１０から不意にパネルストリンガー１４が外れることが防止される。
【００２４】
突起３０、３０’およびキャビティ４２、４２’に起因し、パネルストリンガー１４が支持アーム２６の上でスライドすることが防止され、常にストリンガーがペデスタルに対して正しく位置決めされる。従って、ペデスタル１０に対するパネルストリンガー１４の正しい結合が常に保証され、隣接するペデスタル間の正しい距離も保証される。
【００２５】
パネルストリンガー１４の相互接続部分３６は更に孔４６を備え、この孔はペデスタル１０の支持ヘッド１７にパネルストリンガー１４が結合されると、支持アーム２６の孔３２と協働するように配置されている。次に、パネルストリンガー１４とペデスタル１０の間の結合は、ボア３２、４６を通る別の固定手段、例えばネジ、クギまたはリベットによって補足できる。
【００２６】
図を簡潔にするために、本願に示されているパネルストリンガーの側面部分と相互接続部分は、実質的に平らである。しかしながら、一般的にこれら部品はパネルストリンガーの強度を更に増すための長手方向の補強リブを備える。更に、支持ヘッド１７の支持アーム２６、２８は、全体の形状がパネルストリンガーの相互接続部分の形状に対応するようになっている。
【図面の簡単な説明】
【００２７】
【図１】高置フロアアセンブリのための支持構造体のペデスタルおよびパネルストリンガーの端部部分の側面図である。
【図２】本発明に係わるペデスタルの支持ヘッドの平面略図である。
【図３】本発明に係わるパネルストリンガーの端部部分の謝し略図である。
【符号の説明】
【００２８】
１０    ペデスタル
１２    ベースフロア
１４    パネルストリンガー
１６    コラム
１７    支持ヘッド
１８    ベースプレート
２０    ねじ切りされたロッド
２２    ベアリングナット
２４    支持チューブ
２６、２６’、２６”、２６'''    メイン支持アーム
２８、２８’、２８”、２８'''    補助支持アーム
３０、３０’    突起
４２、４２’    キャビティ
４４、４４’    ガイド
【図１】
2008520865.tif 000003
【図２】
2008520865.tif 000004
【図３】
2008520865.tif 000005
【手続補正書】
【提出日】平成18年9月18日(2006.9.18)
【手続補正１】
【補正対象書類名】特許請求の範囲
【補正対象項目名】全文
【補正方法】変更
【補正の内容】
【特許請求の範囲】
【請求項１】
複数のペデスタル（１０）と、隣接するこれらペデスタル（１０）の間に結合されたパネルストリンガー（１４）とを備え、  各ペデスタル（１０）は、コラム（１６）の上端部に設けられた支持ヘッド（１７）および前記コラム（１６）の下端部に設けられたプレート（１８）を備えたコラム（１６）有し、前記支持ヘッド（１７）は、前記パネルストリンガ（１４）をアームに接続するための、放射状に突出する支持アーム（２６）を有し、  各パネルストリンガー（１４）は、２つのほぼ平行する側面部分（３４、３４’）および相互接続部分（３６）を有するほぼ倒立したＵ字形横断面を有し、前記相互接続部分（３６）は、前記ペデスタル（１０）の支持ヘッド（１７）の前記放射状に突出する支持アーム（２６）に載っており、  前記パネルストリンガー（１４）の端部部分において前記側面部分（３４、３４’）のうちの少なくとも１つは、前記相互接続部分（３６）の近くのキャビティ（４２、４２’）および前記相互接続部分（３６）から遠い前記側面部分（３４、３４’）のエッジから、前記キャビティ（４２、４２’）に延びるガイド（４４、４４’）を備え、前記支持アーム（２６）は前記パネルストリンガー（１４）が前記ペデスタル（１０）の前記支持アーム（２６）に接続されたときに、前記キャビティ（４２、４２’）内に収納されるようになっている少なくとも１つの側方突起（３０、３０’）を備えた高置フロアアセンブリのための支持構造体において、 前記キャビティ（４２、４２’）および前記ガイド（４４、４４’）は、前記内側表面（４０、４０’）上の凹部によって形成され、前記ガイド（４４、４４’）は、前記側面部分（３４、３４’）のエッジから前記キャビティ（４２、４２’）内に延びていることを特徴とする、高置フロアアセンブリのための支持構造体。
【請求項２】
前記キャビティ（４２、４２’）は、前記支持体に適合できるような十分な遊びをもって前記突起（３０、３０’）を内部に確実に収納するような寸法となっている、請求項１記載の支持構造体。
【請求項３】
前記キャビティ（４２、４２’）と前記突起（３０、３０’）とは、両者の間に若干の遊びをもって配置されている、請求項１または２記載の支持構造体。
【請求項４】
前記ガイド（４４、４４’）は、前記キャビティ（４２、４２’）の方向に狭くなっている横断面を有する、請求項１〜３のうちのいずれかに記載の支持構造体。
【請求項５】
前記キャビティ（４２、４２’）の近くにある前記キャビティ（４４、４４’）の横断面は、前記突起（３０、３０’）の横断面よりも若干小さくなっている、請求項４記載の支持構造体。
【請求項６】
前記突起（３０、３０’）は丸くなっている、請求項１〜５のうちのいずれかに記載の支持構造体。
【請求項７】
前記ペデスタル（１０）の前記支持ヘッド（１７）は、互いに直角に配置された４本の支持アーム（２６、２６’、２６”、２６'''）を有する、請求項１〜６のうちのいずれかに記載の支持構造体。
【請求項８】
前記ペデスタル（１０）の前記支持ヘッド（１７）は、互いに直角に配置された４本のメイン支持アーム（２６、２６’、２６”、２６'''）と、互いに直角であって前記メイン支持アーム（２６、２６’、２６”、２６'''）に対して４５度に配置された４本の補助支持アーム（２８、２８’、２８”、２８'''）とを有する、請求項１〜６のうちのいずれかに記載の支持構造体。
【請求項９】
前記補助支持アーム（２８、２８’、２８”、２８'''）は、前記メイン支持アーム（２６、２６’、２６”、２６'''）よりも長い、請求項８記載の支持構造体。
【請求項１０】
前記ペデスタル（１０）の前記支持アーム（２６、２８）および前記パネルストリンガー（１４）の前記相互接続部分（３６）は、孔（３２、４６）を備え、前記孔（３２、４６）は、前記パネルストリンガー（１４）を前記ペデスタル（１０）に結合したときに整合するようになっている、請求項１〜９のいずれかに記載の支持構造体。
【手続補正２】
【補正対象書類名】明細書
【補正対象項目名】０００５
【補正方法】変更
【補正の内容】
【０００５】  上記課題を解決するために、本発明は、複数のペデスタルと、隣接するこれらペデスタルの間に結合されたパネルストリンガーとを備え、各ペデスタルは、コラムの上端部に設けられた支持ヘッドおよび前記コラムの下端部に設けられたプレートを備えたコラム有し、前記支持ヘッドは、前記パネルストリンガをアームに接続するための、放射状に突出する支持アームを有し、各パネルストリンガーは、２つのほぼ平行する側面部分および相互接続部分を有するほぼ倒立したＵ字形横断面を有し、前記相互接続部分は、前記ペデスタルの支持ヘッドの前記放射状に突出する支持アームに載っている、高置フロアアセンブリのための支持構造体を提案するものである。前記パネルストリンガーの端部部分において前記側面部分のうちの少なくとも１つは前記相互接続部分の近くのキャビティおよび前記相互接続部分から遠い前記側面部分のエッジから、前記キャビティに延びるガイドを備え、前記支持アームは前記パネルストリンガーが前記ペデスタルの前記支持アームに接続されたときに、前記キャビティ内に収納されるようになっている少なくとも１つの側方突起を備える。本発明の特徴によれば、前記キャビティおよび前記ガイドは、前記内側表面上の凹部によって形成され、前記ガイドは、前記側面部分のエッジから前記キャビティ内に延びる。パネルストリンガーをペデスタルに結合させるために、パネルストリンガーの側面部分のガイドをペデスタルの支持アームの突起に整合させる。次に、パネルストリンガーをペデスタルの支持アーム上に下方に押す。よって、ガイドにより突起はガイドを通ってキャビティに導かれる。突起とキャビティにより、ペデスタルに対するパネルストリンガーの正確かつ正しい位置が保証され、高置フロアアセンブリのための改善された支持構造体が得られる。キャビティ内に一旦突起を挿入すると、パネルストリンガーは支持アーム上でスライドすることが防止されるので、パネルストリンガーおよび支持アームを通過するように、ネジを回さなくてもよくなる。従って、支持構造体をより容易かつより迅速に直立させることができ、このことはロードコストに対する積極的な効果がある。双方の側面部分はキャビティとガイドを備え、支持アームは２つのキャビティと協働する２つの突起を備えることが好ましい。
【国際調査報告】
2008520865.tif 000006
2008520865.tif 000007
2008520865.tif 000008